(57)【要約】【課題】多様な駐車形態に対応可能な運転支援装置を提供する。【解決手段】運転者の運転操作により、車両の目標とする駐車位置の周辺の任意の地点から駐車位置まで車両を移動させながら障害物検知装置によって検知した障害物の位置を不揮発性のメモリに記憶し、次回以降、同じ駐車位置に車両を駐車させる場合には、不揮発性メモリの記憶する障害物の位置を用いて、車両を駐車位置へ移動する際の駐車支援を行う。【選択図】図７
2008207732.tif 000002
【特許請求の範囲】
【請求項１】
車両の周囲に向かって送信波を送波し、その反射波を受信することで、前記車両の周囲に存在する障害物を検知する障害物検知装置と、
運転者の運転操作により、前記車両の目標とする駐車位置の周辺の任意の地点から前記駐車位置、及び前記駐車位置から前記任意の地点の少なくとも一方まで前記車両を移動させながら前記障害物検知装置によって検知した障害物の位置を記憶する記憶手段と、
前記記憶手段が前記障害物の位置を記憶した後、前記車両が前記任意の地点、及び前記駐車位置の少なくとも一方に存在する場合には、前記記憶手段が記憶する障害物の位置を用いて、前記任意の地点から前記駐車位置へ前記車両を移動する際、及び前記駐車位置から前記任意の地点へ前記車両を移動する際の少なくとも一方の運転支援を実行する運転支援手段と、を備えることを特徴とする運転支援装置。
【請求項２】
前記運転支援手段は、前記車両の車室内に搭載された表示器に、前記記憶手段の記憶する障害物の存在する位置を示す障害物地図を表示することを特徴とする請求項１記載の運転支援装置。
【請求項３】
前記運転支援手段は、
前記記憶手段の記憶する障害物の位置に基づいて、前記任意の地点から前記駐車位置へ移動するための目標軌道、又は前記駐車位置から前記任意の地点へ移動するための目標軌道を演算する目標軌道演算手段を備え、
前記障害物地図に前記目標軌道演算手段の演算した目標軌道を重ねて表示することを特徴とする請求項２記載の運転支援装置。
【請求項４】
前記車両の移動速度、及び移動方向の少なくとも一方を制御する車両制御装置を備え、
前記運転支援手段は、
前記記憶手段の記憶する障害物の位置に基づいて、前記任意の地点から前記駐車位置へ移動するための目標軌道、又は前記駐車位置から前記任意の地点へ移動するための目標軌道を演算する目標軌道演算手段を備え、
前記目標軌道に沿って前記車両が移動するように、前記車両制御装置による前記移動速度、及び移動方向の少なくとも一方を制御することを特徴とする請求項１又は２記載の運転支援装置。
【請求項５】
前記車両の現在位置を検出する位置検出手段を備え、
前記運転支援手段は、前記位置検出手段の検出する現在位置が、前記任意の地点、又は前記駐車位置である場合に前記運転支援の実行を開始することを特徴とする請求項１〜４の何れか１項に記載の運転支援装置。
【請求項６】
前記記憶手段は、前記車両が前記駐車位置に駐車したときの駐車形態を記憶することを特徴とする請求項１〜５の何れか１項に記載の運転支援装置。
【請求項７】
前記運転支援の実行中に、前記障害物検知装置が前記記憶手段に記憶した障害物と異なる障害物を検知したかどうかを判定する障害物位置判定手段と、
前記障害物位置判定手段によって、前記障害物検知装置が前記記憶手段に記憶した障害物と異なる障害物を検知したと判定した場合、その異なる障害物が存在する旨を前記運転者に報知する報知手段と、を備えることを特徴とする請求項１〜６の何れか１項に記載の運転支援装置。
【発明の詳細な説明】
【技術分野】
【０００１】
本発明は、運転支援装置に関するものである。
【背景技術】
【０００２】
従来、車庫入れ駐車と縦列駐車の後退時に、ディスプレイ上で運転者が設定、確認した駐車位置へ車両を移動させるべく操舵制御を行う自動操舵式駐車支援システム（Intelligent Parking Assist、以下、ＩＰＡ）が非特許文献１に記載されている。
【０００３】
ＩＰＡは、駐車位置の横を前進しながら通過する際、車両前部左右に取り付けた超音波センサで既に駐車している車両との距離を検出し、自車両の移動軌跡と関連させながらその超音波センサからの距離データを時系列に記憶し、この記憶した距離データから駐車車両の位置を計算して駐車空間を推定する。その後、自車両が後退開始位置で停止し、シフトがリバースに切り替えられると、車庫入れ駐車か縦列駐車かの駐車形態をディスプレイ上のボタンでドライバに選択させ、自車後方画像に重畳表示された目標駐車位置を調整後、操舵支援を開始する。なお、駐車車両の形状を認識するものが特許文献１に記載されている。
【非特許文献１】「自動車技術、社団法人自動車技術会、Vol.60,No.10,2006,P47〜52」
【特許文献１】特開２００６−２３４４９３号公報
【発明の開示】
【発明が解決しようとする課題】
【０００４】
上述したＩＰＡは、駐車位置の横を一度通過することで駐車空間を推定するため、後退して駐車する駐車形態に限って駐車支援を行うものであり、前進して駐車する場合の駐車支援を行うことができない。また、車庫入れ駐車か縦列駐車かの駐車形態をドライバに選択させるものであるため、例えば、斜め駐車などの他の駐車形態で駐車する場合に駐車支援を行うことができない。
【０００５】
本発明は、上記の問題を鑑みてなされたもので、多様な駐車形態に対応可能な運転支援装置を提供することを目的とする。
【課題を解決するための手段】
【０００６】
上記目的を達成するためになされた請求項１記載の運転支援装置は、
車両の周囲に向かって送信波を送波し、その反射波を受信することで、車両の周囲に存在する障害物を検知する障害物検知装置と、
運転者の運転操作により、車両の目標とする駐車位置の周辺の任意の地点から駐車位置、及び駐車位置から任意の地点の少なくとも一方まで車両を移動させながら障害物検知装置によって検知した障害物の位置を記憶する記憶手段と、
記憶手段が障害物の位置を記憶した後、車両が任意の地点、及び駐車位置の少なくとも一方に存在する場合には、記憶手段が記憶する障害物の位置を用いて、任意の地点から駐車位置へ車両を移動する際、及び駐車位置から任意の地点へ車両を移動する際の少なくとも一方の運転支援を実行する運転支援手段と、を備えることを特徴とする。
【０００７】
これにより、次回以降に、同じ駐車位置に駐車する場合や、同じ駐車位置から退出する場合には、駐車位置の周辺に存在する障害物の位置が予め把握できるため、この記憶した障害物の位置を用いて、任意の地点から駐車位置へ車両を移動する際の駐車支援や、駐車位置から任意の地点へ車両を移動する際の退出支援などの運転支援を実行することができる。その結果、車庫入れ駐車や縦列駐車などの駐車形態に限らず、多様な駐車形態に対応可能となる。
【０００８】
請求項２に記載のように、運転支援手段は、車両の車室内に搭載された表示器に、記憶手段の記憶する障害物の存在する位置を示す障害物地図を表示することで、運転者は、駐車位置の周辺に存在する障害物の位置を把握することができるようになる。
【０００９】
請求項３に記載の運転支援装置によれば、運転支援手段は、
記憶手段の記憶する障害物の位置に基づいて、任意の地点から駐車位置へ移動するための目標軌道、又は駐車位置から任意の地点へ移動するための目標軌道を演算する目標軌道演算手段を備え、
障害物地図に目標軌道演算手段の演算した目標軌道を重ねて表示することを特徴とする。
【００１０】
これにより、駐車位置に駐車する際、あるいは、駐車位置から退出する際に、車両が目標軌道に沿って移動するように、車両の移動方向を誘導することができる。
【００１１】
請求項４に記載の運転支援装置は、車両の移動速度、及び移動方向の少なくとも一方を制御する車両制御装置を備え、
運転支援手段は、
記憶手段の記憶する障害物の位置に基づいて、任意の地点から駐車位置へ移動するための目標軌道、又は駐車位置から任意の地点へ移動するための目標軌道を演算する目標軌道演算手段を備え、
目標軌道に沿って車両が移動するように、車両制御装置による移動速度、及び移動方向の少なくとも一方を制御することを特徴とする。
【００１２】
これにより、駐車位置の周辺に存在する障害物との接触を避けながら、目標軌道に沿って車両を駐車位置へ移動させるための駐車支援や、目標軌道に沿って車両を駐車位置から上記任意の地点へ移動させるための退出支援を実行することができる。
【００１３】
請求項５に記載の運転支援装置によれば、
車両の現在位置を検出する位置検出手段を備え、
運転支援手段は、位置検出手段の検出する現在位置が、任意の地点、又は駐車位置である場合に運転支援の実行を開始することを特徴とする。
【００１４】
これにより、任意の地点、又は駐車位置から運転支援の実行を開始させることができる。
【００１５】
請求項６に記載のように、記憶手段は、車両が駐車位置に駐車したときの駐車形態を記憶することが好ましい。車両の駐車形態が前進駐車か後退駐車かによって、運転支援の支援内容が異なるからである。
【００１６】
請求項７に記載の運転支援装置は、
運転支援の実行中に、障害物検知装置が記憶手段に記憶した障害物と異なる（位置に存在する）障害物を検知したかどうかを判定する障害物位置判定手段と、
障害物位置判定手段によって、障害物検知装置が記憶手段に記憶した障害物と異なる（位置に存在する）障害物を検知したと判定した場合、その異なる障害物が存在する旨を運転者に報知する報知手段と、を備えることを特徴とする。
【００１７】
これにより、以前と異なる位置に移動した障害物や、以前には存在していなかった障害物に対して、運転者の注意を向けさせることができる。
【発明を実施するための最良の形態】
【００１８】
以下、本発明の運転支援装置の実施形態について、図面を用いて説明する。図１は、本発明が適用された駐車支援システム１００の全体構成を示した図である。図１に示す駐車支援システム１００は、車両に搭載されるものであり、カメラ１１、スピーカ１２、及び表示器１３、これらが接続された駐車支援ＥＣＵ１０、ナビゲーション装置２０、舵角センサ３０、超音波センサ４０、ソナーＥＣＵ５０、車輪速センサ６０、ブレーキＥＣＵ７０、ステアリング駆動装置８０、速度制御装置９０によって構成され、ＣＡＮ（Controller Area Network）などの通信プロトコルに準拠した車内ＬＡＮで各々接続されている。
【００１９】
カメラ１１は、ＣＣＤ(Charge Coupled Device、電荷結合素子)等の撮像素子を用いた車載カメラであり、車両の後方画像を所定の時間間隔で撮像する。スピーカ１２は、車両の車室内の適宜の場所に配置され、運転者への音声案内や警告音の出力に利用される。表示器１３は、例えば、液晶ディスプレイによって構成され、表示器１３の画面には、カメラ１１の撮像した後方画像を表示したり、駐車支援ＥＣＵ１０からの画像信号の画像を表示したりする。また、表示器１３の画面にはタッチスイッチが採用され、各種の入力操作に使用される。
【００２０】
ナビゲーション装置２０は、車両の現在位置とその周辺の道路地図を表示する地図表示機能、目的地までの経路を案内する経路案内機能などを備える周知のナビゲーション装置である。ナビゲーション装置２０は、車両の現在位置を検出する位置検出器（図示せず）を備えている。位置検出器は、車両前方の方位を測定する方位センサ、衛星からの電波に基づいて車両の位置を測定するＧＰＳ（Global Positioning Sytem）のためのＧＰＳ受信機で構成され、これらの測定結果と車輪速センサ６０から出力される車速パルス信号、及び舵角センサ３０から出力される操舵角信号などから、車両の現在位置と車両前方の方位を測定する。
【００２１】
舵角センサ３０は、車両のステアリングの操舵角を検出するセンサであり、車両が直進状態で走行するときの操舵角を中立位置（０度）とし、その中立位置からの回転角度を操舵角として出力する。なお、この操舵角は、中立位置から右回転する場合には正（＋）の符号を付して出力され、中立位置から左回転する場合には負（−）の符号を付して出力される。
【００２２】
超音波センサ４０は、超音波を送波し、その反射波を受信することで障害物との距離を検知するために用いられる超音波センサである。図２に示すように、車両の前方には計６個の超音波センサ４０ａ〜４０ｆが配置され、車両の後方には計４個の超音波センサ４０ｇ〜４０ｊが配置される。図２における点線は、超音波センサ４０ａ〜４０ｊの各々の検知範囲を示している。ソナーＥＣＵ５０は、各々の超音波センサ４０ａ〜４０ｊが超音波を送波した時間と、その反射波を受波した時間の時間差から、検知範囲内に存在する障害物との距離を求める。
【００２３】
車輪速センサ６０は、車両の車輪の回転に応じたパルス信号を発生するものである。ブレーキＥＣＵ７０では、前記のパルス信号に基づいて車両の速度と移動距離を演算するほか、速度制御装置９０からのブレーキ制御指令に応じて、車両に制動力を発生させるためのブレーキアクチュエータ（図示せず）を駆動する。
【００２４】
ステアリング駆動装置８０は、何れも図示しないモータ、トルクセンサ、及び操舵制御装置によって構成される。モータは、ステアリングシャフトにギヤを介して接続され、操舵制御装置からの制御信号に応じて駆動力を発生させる。トルクセンサは、ステアリングシャフトに加わる回転トルクを検出し、操作制御装置に出力する。操舵制御装置は、駐車支援ＥＣＵ１０からの目標舵角に応じて、モータの駆動を制御する。
【００２５】
速度制御装置９０は、車両の速度が駐車支援ＥＣＵ１０からの目標速度となるように、図示しないスロットルアクチュエータを駆動するほか、ブレーキＥＣＵ７０に対してブレーキ制御指令を出力する。
【００２６】
駐車支援ＥＣＵ１０は、ＣＰＵ（Central Processing Unit）、ＲＯＭ（Read Only Memory）、ＲＡＭ（Random Access Memory）不揮発性メモリであるＥＥＰＲＯＭ（Electronically Erasable and Programmable Read Only Memory）、バス等を備えるマイクロコンピュータとして主に構成されるもので、ＲＯＭに書込まれた処理プログラムに従ってＣＰＵが演算処理を実行する。
【００２７】
次に、駐車支援システム１００の動作について説明する。本駐車支援システム１００では、先ず、運転者の運転操作によって車両の目標とする駐車空間（以下、駐車位置）に車両を駐車するとき、車両を移動させながら超音波センサ４０ａ〜４０ｊの検知した障害物を記憶する（障害物記憶処理）。この障害物の情報は、駐車支援ＥＣＵ１０の不揮発性メモリに記憶する。
【００２８】
そして、次回以降に、車両が同じ駐車位置に駐車する場合には、不揮発性メモリに記憶させた障害物の情報に基づいて、車両が駐車位置へ移動するための目標軌道を演算し、その目標軌道に沿って車両が移動するように、車両の移動速度と移動方向を制御する（駐車支援処理）。また、駐車位置から車両を移動する場合には、不揮発性メモリに記憶させた障害物の情報に基づいて、障害物の存在する位置を示す障害物地図を表示することで、駐車位置からの退出支援を行う（退出支援処理）。
【００２９】
このように、駐車位置周辺の障害物を不揮発性のメモリに記憶しておくことで、多様な駐車形態に対応可能な運転支援が可能となる。特に、自宅車庫や契約駐車場等、使用頻度の高い駐車位置に駐車する際には好適である。
【００３０】
以下、駐車支援システム１００における障害物記憶処理について、図３及び図４を用いて説明する。この障害物記憶処理は、駐車支援ＥＣＵ１０において実行されるものである。以下の説明では、図４に示すように、塀ＢＷで囲まれた駐車場に前進して進入し、駐車位置ＰＡには後退して斜め駐車する場合を例とする。
【００３１】
先ず、車両が駐車位置ＰＡの駐車場に進入した場合、ユーザ（運転者、同乗者を含む乗員）が表示器１３のタッチパネルをタッチ操作することで、図４の障害物記憶処理の実行を開始する。
【００３２】
図４に示すステップＳ１１では、表示器１３の画面に「メモリ開始」及び「メモリ終了」なるボタンを表示する。そして、ユーザが「メモリ開始」をタッチ操作（ＯＮ）することで、ステップＳ１２に処理を進める。ステップＳ１２では、「メモリ開始」をタッチ操作した時の車両の現在位置を、車両上に設定した仮座標系（ＶＸ−ＶＹ）の原点ＶＯとして設定する。なお、ＶＸ軸（車両前後方向の中心線）は車両前方の方位と一致し、ＶＹ軸（車幅方向の中心線）はＶＸ軸に直交する。
【００３３】
ステップＳ１３では、超音波センサ４０ａ〜４０ｊの駆動を開始し、ステップＳ１４では、運転者に運転操作（駐車操作）の開始を促す。図４の例では、運転者は、はじめに車両を前進させ、その後、後退させながら駐車位置ＰＡへ車両を駐車させる操作を行うことになる。ステップＳ１５では、車両が駐車位置ＰＡに駐車するまでの間に、超音波センサ４０ａ〜４０ｊが障害物を検知したかどうかを判定する。このステップＳ１５にて肯定判断した場合にはステップＳ１６へ処理を進め、否定判断した場合にはステップＳ１７へ処理を移行する。
【００３４】
ステップＳ１６では、車両の現在位置、障害物を検知した超音波センサ４０の搭載位置、及び障害物までの距離から、仮座標系（ＶＸ−ＶＹ）における障害物点の座標値を演算して、一時的に記憶する。ステップＳ１７では、表示器１３の画面に表示された「メモリ終了」ボタンがタッチ操作（ＯＮ）されたかどうかを判断する。
【００３５】
ステップＳ１７にて肯定判断した場合には、車両が駐車位置ＰＡに駐車したものとしてステップＳ１８へ処理を進める。否定判断した場合には、車両が駐車位置ＰＡに到達していないものとして、ステップＳ１５へ処理を移行し、上述した処理を繰り返す。つまり、車両が駐車位置ＰＡに到達して駐車したかどうかについては、ユーザによる「メモリ終了」ボタンのタッチ操作の有無によって判断する。
【００３６】
ステップＳ１８では、駐車位置ＰＡに駐車した車両の絶対位置（緯経度）、車両の絶対方位、及び駐車位置ＰＡに駐車した車両の駐車形態（前進駐車、又は後退駐車）を不揮発性メモリに記憶する。ここで、駐車形態を記憶するのは、車両の駐車形態が前進駐車か後退駐車かによって、運転支援の支援内容が異なるからである。
【００３７】
ステップＳ１９では、仮座標系（ＶＸ−ＶＹ）上の座標値として一時的に記憶した障害物点の座標値を、ステップＳ１８にて不揮発性メモリに記憶した絶対値を原点ＲＯとし、その記憶した車両の絶対方位をＲＸ軸、それに直交する軸をＲＹ軸とする実座標系（ＲＸ−ＲＹ）の座標値に変換する。また、仮座標系（ＶＸ−ＶＹ）の原点ＶＯについても、実座標系（ＲＸ−ＲＹ）の座標値に変換する。
【００３８】
ステップＳ２０では、実座標系（ＲＸ−ＲＹ）の座標値に変換された障害物点の連続性からグループ化を行うことで、障害物毎に分割する。これにより、図５に示すように、実座標系（ＲＸ−ＲＹ）における障害物ＯＢＰ毎の座標値が決定し、これを障害物情報として不揮発性メモリに記憶する。
【００３９】
以上、説明した障害物記憶処理により、不揮発性メモリには、障害物情報、実座標系（ＲＸ−ＲＹ）の原点ＲＯ、ＲＸ軸の方位、及び仮座標系（ＶＸ−ＶＹ）の原点ＶＯの各座標値が記憶されることになる。
【００４０】
続いて、駐車支援処理について、図６〜図８を用いて説明する。先ず、図６に示すステップＳ２１では、不揮発性メモリの記憶する仮座標系（ＶＸ−ＶＹ）の原点ＶＯ（付近）に車両が到達した場合に、ステップＳ２２へ処理を進める。なお、ユーザが駐車支援の実行を開始するタッチ操作を行った場合にも、ステップＳ２２へ処理を進めるようにしてもよい。
【００４１】
ステップＳ２２では、不揮発性メモリの記憶する障害物情報を読み出すとともに、超音波センサ４０ａ〜４０ｊの駆動を開始する。ステップＳ２３では、表示器１３の画面に「自動駐車」なるボタンを表示する。そして、ユーザが「自動駐車」をタッチ操作（ＯＮ）することで、ステップＳ２４に処理を進める。
【００４２】
ステップＳ２４では、図７に示すように、車両が仮座標系（ＶＸ−ＶＹ）の原点ＶＯ（付近）から駐車位置ＰＡへ移動するための目標軌道を演算し、この目標軌道に沿って車両が移動するように、車両の移動速度と移動方向を制御することで、車両を駐車位置ＰＡへ誘導する。これにより、駐車位置ＰＡの周辺に存在する障害物との接触を避けながら、目標軌道に沿って車両を駐車位置へ移動させるための駐車支援を実行することができる。
【００４３】
なお、本実施形態では、移動速度の制御（速度制御）と移動方向の制御（操舵制御）を行うものであるが、車両の速度の調整は運転者の運転操作によるものとし、移動方向の制御のみを実行するようにしてもよい。
【００４４】
ここで、目標軌道は、不揮発性メモリの記憶する障害物情報に基づいて、車両が障害物に衝突することなく、かつ、不揮発性メモリの記憶する駐車形態で車両が駐車するための目標軌道を演算する。目標軌道の演算については、車両の車体寸法やアッカーマン・ジャントー式等、車両の操舵方式が決定すれば車両の軌道は演算可能であるので、その説明は省略する。
【００４５】
ステップＳ２５では、不揮発性メモリの記憶する障害物と異なる（位置に存在する）障害物を検知したかどうかを判定する。このステップＳ２５にて肯定判断した場合にはステップＳ２７へ処理を進め、否定判断した場合にはステップＳ２６へ処理を移行する。ステップＳ２６では、駐車位置ＰＡに車両が駐車したかどうかを判断する。このステップＳ２６にて肯定判断した場合には本処理を終了し、否定判断した場合にはステップＳ２５へ処理を移行して、上述した処理を繰り返す。
【００４６】
ステップＳ２７では実行中の駐車支援を停止し、ステップＳ２８では不揮発性メモリに記憶した障害物と異なる障害物が存在する旨を運転者に報知する。これにより、以前と異なる位置に移動した障害物や、以前には存在していなかった障害物に対して、運転者の注意を向けさせることができる。
【００４７】
例えば、図８に示すように、表示器１３の画面に不揮発性メモリに記憶した障害物ＯＢＰの位置を示す障害物地図を表示し、その障害物地図に以前と異なる障害物ＮＢＰの位置を併せて表示する。これにより、運転者は、駐車位置の周辺に存在する障害物の位置を把握することができるようになる。
【００４８】
ステップＳ２９では、表示器１３の画面に「駐車支援再開」及び「駐車支援終了」なるボタンを表示する。そして、ユーザが「駐車支援再開」をタッチ操作（ＯＮ）した場合にはステップＳ２３へ処理を移行し、上述した処理を繰り返す。一方、ユーザが「駐車支援終了」をタッチ操作（ＯＮ）した場合には本処理を終了し、その後は、運転者が駐車位置ＰＡへの運転操作を行う。
【００４９】
次に、駐車位置から車両を移動する場合、不揮発性メモリに記憶させた障害物の情報に基づいて、障害物の存在する位置を示す障害物地図を表示することで、駐車位置からの退出支援を行う退出支援処理について、図９及び図１０を用いて説明する。
【００５０】
図９のステップＳ３１では車両の現在位置（緯経度）を取得し、ステップＳ３２では、その現在位置が、不揮発性メモリの記憶する実座標系（ＲＸ−ＲＹ）の原点ＲＯと略同じかどうかを判定する。このステップＳ３２にて肯定判断した場合にはステップＳ３３へ処理を進め、否定判断した場合には本処理を終了する。
【００５１】
ステップＳ３３では不揮発性メモリに記憶した障害物情報を読み出し、ステップＳ３４では、図１０に示すように、表示器１３の画面に、障害物ＯＢＰの位置を示す障害物地図を表示するとともに、車両の現在位置に基づいて自車両の形状を併せて表示する。これにより、運転者は、駐車位置の周辺に存在する障害物の位置を把握しながら、駐車位置から退出ための運転操作を行うことができる。ステップＳ３５では超音波センサ４０ａ〜４０ｊの駆動を開始する。
【００５２】
ステップ３６では、駐車位置からの退出中に、不揮発性メモリの記憶する障害物と異なる障害物を検知したかどうかを判定する。このステップＳ３６にて肯定判断した場合にはステップＳ３８へ処理を進め、否定判断した場合にはステップＳ３７へ処理を移行する。
【００５３】
ステップＳ３７では、車両の退出の進捗状況に応じた注意点を障害物地図と併せて表示する。例えば、障害物の存在する方向やその障害物との距離等を強調して表示するとよい。ステップＳ３８では、ステップＳ３７の表示に加えて、不揮発性メモリの記憶する障害物と異なる障害物の位置を障害物地図に重ねて表示する。ステップＳ３９では、車両が仮座標系（ＶＸ−ＶＹ）の原点ＶＯに到達したかどうかを判断する。ここで肯定判断した場合には本処理を終了し、否定判断した場合にはステップＳ３６へ処理を移行し、上述した処理を繰り返す。
【００５４】
このように、本実施形態の駐車支援システム１００は、運転者の運転操作により、車両の目標とする駐車位置の周辺の任意の地点から駐車位置まで車両を移動させながら障害物検知装置によって検知した障害物の位置を不揮発性のメモリに記憶し、次回に、同じ駐車位置に車両を駐車させる場合には、不揮発性メモリの記憶する障害物の位置を用いて、車両を駐車位置へ移動する際の駐車支援を行う。
【００５５】
これにより、次回以降に、同じ駐車位置に駐車する場合や、同じ駐車位置から退出する場合には、駐車位置の周辺に存在する障害物の位置が予め把握できるため、不揮発性メモリに記憶した障害物の位置を用いて、駐車位置へ車両を移動する際の駐車支援を実行することができる。その結果、車庫入れ駐車や縦列駐車などの駐車形態に限らず、多様な駐車形態に対応可能となる。
【００５６】
以上、本発明の好ましい実施形態について説明したが、本発明は上述した実施形態に何ら制限されることなく、本発明の主旨を逸脱しない範囲において、種々変形して実施することができる。
【００５７】
例えば、本実施形態では、障害物点の連続性からグループ化を行うことで、障害物毎に分割しているが、カメラ１１で撮影した画像と組み合わせて、障害物のエッジ部を補正するようにしてもよい。
【００５８】
また、例えば、本実施形態の退出支援処理では障害物地図を表示しているが、不揮発性メモリの記憶する障害物情報を用いて、駐車位置ＰＡから車両を退出する際の目標軌道を演算し、その演算した目標軌道を障害物地図に重ねて表示するようにしてもよい。また、駐車支援処理においても、障害物地図を表示するとともに、目標軌道を重ねて表示するようにしてもよい。これにより、駐車位置に駐車する際、あるいは、駐車位置から退出する際に、車両が目標軌道に沿って移動するように、車両の移動方向を誘導することができる。また、退出支援処理において、駐車位置ＰＡから車両を退出する際の目標軌道に沿って車両が移動するように、車両の移動速度や移動方向を制御するようにしてもよい。
【００５９】
また、障害物地図は、カメラ１１で撮像した画像を鳥瞰図画像に変換し、その鳥瞰図画像上に障害物ＯＢＰを重ねて表示するものであってもよい。
【図面の簡単な説明】
【００６０】
【図１】駐車支援システム１００の全体構成を示すブロック図である。
【図２】車両の前部、後部に搭載される超音波センサ４０ａ〜４０ｊの配置とその各々の検知範囲を示す図である。
【図３】障害物記憶処理のフローチャートである。
【図４】塀ＢＷで囲まれた駐車場に前進して進入し、駐車位置ＰＡには後退して斜め駐車する場合の例を説明するための図である。
【図５】実座標系（ＲＸ−ＲＹ）における各障害物ＯＢＰの位置関係を示す図である。
【図６】駐車支援処理のフローチャートである。
【図７】駐車支援処理における目標軌道を示した図である。
【図８】障害物地図に以前と異なる障害物ＮＢＰの位置を併せて表示した例を示す図である。
【図９】退出支援処理のフローチャートである。
【図１０】障害物地図に自車両の形状を併せて表示した例を示す図である。
【符号の説明】
【００６１】
１０  駐車支援ＥＣＵ
１１  カメラ
１２  スピーカ
１３  表示器
２０  ナビゲーション装置
３０  舵角センサ
４０  超音波センサ
５０  ソナーＥＣＵ
６０  車輪速センサ
７０  ブレーキＥＣＵ
８０  ステアリング駆動装置
９０  速度制御装置
１００  駐車支援システム
【図１】
2008207732.tif 000003
【図２】
2008207732.tif 000004
【図３】
2008207732.tif 000005
【図４】
2008207732.tif 000006
【図５】
2008207732.tif 000007
【図６】
2008207732.tif 000008
【図７】
2008207732.tif 000009
【図８】
2008207732.tif 000010
【図９】
2008207732.tif 000011
【図１０】
2008207732.tif 000012